(57)【特許請求の範囲】
【請求項１】
主要な伸長の長手方向軸線（Ａ）を有すると共に、前壁（２）と後壁（３）と一対の側壁（４、５）とを備えた４つの外側壁（２、３、４、５）と、下壁（６）と、上壁（７）とを有し、各側壁（４、５）は夫々の接続端縁（８、９、１０、１１）により前記前壁（２）と前記後壁（３）に結合されているタバコ製品のためのパケットにおいて、
該パケットはパケット（１）の前記接続端縁（８、９、１０、１１）の各々に沿って少なくとも１つのコーナー壁（１７）を有し、該コーナー壁は前記長手方向軸線（Ａ）に平行な方向に沿って可変な横方向寸法を有すると共に夫々の側端縁（１８）によって形成され、該側端縁はパケット（１）の接続端縁（８、９、１０、１１）に沿って設けられる少なくとも１つの第１共有頂点（１９）から分岐して延びると共にパケット（１）の同じ接続端縁（８、９、１０、１１）に沿って設けられる少なくとも第２共有頂点（２０）へと収束して延び、
前記前壁（２）と前記２つの側壁（４、５）に隣接する２つのコーナー壁（１７）の前記側端縁（１８）と、及び前記後壁（３）と前記２つの側壁（４、５）に隣接する２つのコーナー壁（１７）の前記側端縁（１８）とは、少なくとも、前壁（２）と後壁（３）と２つの側壁（４、５）の夫々の一部分に沿って延び、各外側壁（２、３、４、５）毎に、コーナー壁（１７）の側端縁（１８）に接する上記一部分に少なくとも限定された形で、これら側端縁（１８）の間にゆがみを形成し、そのゆがみは長手方向軸線（Ａ）を横断するパケット（１）の各横断面の外周長さをほぼ一定に維持するようにパケット（１）の大きさの外側に向かって延び、
各コーナー壁（１７）は略三角形の第１パネル（２１）及び第２パネル（２２）を有し、前記第１パネル（２１）及び前記第２パネル（２２）の各々は、前記第１共有頂点（１９）及び前記第２共有頂点（２０）から延びると共に、両方共、パケット（１）の前記接続端縁（８、９、１０、１１）に対して横方向の第１折り線（２４）によって形成される共有の底辺（２３）に沿って結合するまでパケット（１）の内側に向けて集結し、
前記第１パネル（２１）の各辺（２１ａ）は、前記共有の底辺（２３）の両端に位置する夫々の第３頂点（２５）において、前記第２パネル（２２）の対応する辺（２２ａ）と当たり、
前記コーナー壁（１７）の側端縁（１８）に接する前壁（２）、後壁（３）及び２つの側壁（４、５）の各部分の上で、前記第３頂点（２５）は共にパケット（１）の前記長手方向軸線（Ａ）に対して横方向に延びる第２折り線（２６）に結合し、該第２折り線（２６）は各外側壁（２、３、４、５）上に、前記長手方向軸線（Ａ）に対して横方向のパケット（１）の各横断面の全周の伸長が実質的に一定に保持するようにパケット（１）の外側に指向する尖端（２７）を形成し、
パケット（１）の各接続端縁（８、９、１０、１１）は、前記第１共有頂点（１９）と前記第２共有頂点（２０）の間にあって夫々が少なくとも１つの頂点（３１）を有する一連のコーナー壁（１７）を有し、前記頂点（３１）は前記一連のコーナー壁（１７）によって共有され、
連続する２つの前記コーナー壁（１７）によって共有される前記頂点（３１）は夫々の接続端縁（８、９、１０、１１）に沿って配置されると共にパケット（１）の軸線（Ａ）に対して横断する方向に延びる第３折り線（３２）によって共に結合され、
前記第３折り線（３２）は前記第２折り線（２６）に平行であると共に、これらの折り線と共に、各尖端（２７）を形成するように互いに傾斜した複数の第３パネル（３３）及び第４パネル（３４）を形成することを特徴とするパケット。
【請求項２】
前記第１折り線（２４）及び前記第２折り線（２６）の各々は、パケット（１）の全横方向延伸のために、前記第３頂点（２５）で共に結合されていることを特徴とする請求項１に記載のパケット。
【請求項３】
各コーナー壁（１７）の前記第１折り線（２４）は同じ長さを有していることを特徴とする請求項１又は２に記載のパケット。
【請求項４】
タバコ群（１３）を収容する容器（１２）と、パケット（１）の後壁（３）に位置するヒンジ線（１５）に沿って前記容器（１２）にヒンジ結合されパケット（１）の閉鎖位置から開放位置へ移動したりその逆方向へと移動する蓋（１４）と、少なくとも前記前壁（２）において前記容器（１２）の内側に固定されたカラー（１６）とを有し、
各接続端縁（８、９、１０、１１）は前記蓋（１４）にコーナー壁（１７）を夫々有し、
前記上壁（７）の各端縁（７ａ）は各コーナー壁（１７）の前記第１共有頂点（１９）を成すことを特徴とする請求項１〜３のいずれか一項に記載のタバコパケット。
【請求項５】
前記蓋（１４）に位置する各コーナー壁（１７）の前記第１パネル（２１）及び前記第２パネル（２２）の前記第２折り線（２４、２６）は、前記第３頂点（２５）で共に結合されると共に蓋（１４）の前記ヒンジ線（１５）と同じ高さに位置し、
前記後壁（３）と蓋（１４）の側壁（４、５）に隣接するコーナー壁（１７）の前記第１折り線（２４）はパケット（１）の開閉を可能にするために切断されていることを特徴とする請求項４に記載のパケット。
【請求項６】
前記カラー（１６）は、夫々が前記蓋（１４）に位置する各コーナー壁（１７）と係合するように設計された少なくとも２つのコーナー壁（１７）を有し、パケット（１）を閉鎖状態に保持することを特徴とする請求項４又は５に記載のパケット。
【請求項７】
各接続端縁（８、９、１０、１１）は前記容器（１２）に単一のコーナー壁（１７）を有することを特徴とする請求項４〜６のいずれか一項に記載のパケット。
【発明の詳細な説明】
【技術分野】
【０００１】
本発明はタバコ製品のためのパケットに関する。本明細書では、これ以降、一例として硬質タバコパケットを引用するが、これによって本発明の範囲を限定するものではない。
【背景技術】
【０００２】
従来技術の硬質タバコパケットは、予め脆弱化されかつ折り目が付けられた１枚以上の平坦板紙ブランクを折り曲げることによって得られ、それは主に、一端が開口した容器と、その容器の末端縁にヒンジ結合された蓋と、容器の内側に固定されたカラーとから構成される。
【０００３】
一般に、従来の硬質パケットは主要な長手方向軸線に沿って延伸し、前壁、後壁、２つの側面、上壁及び下壁から構成される。前壁と後壁は、その伸長の主要長手方向軸線に対して平行な端縁（鋭いコーナーを伴ったり、丸み付けられたり、面取りが施された状態で）により２つの側面に接続されている。
【０００４】
従来の硬質パケットを美的観点から一層魅力的にするために、パケットの形状を変えることがあり、特に前壁と後壁を夫々の側面に接続する上記端縁の形状を変えることがあった。
【０００５】
しかしながら、上述した平行端縁の形状の変化は、伸長の主要長手方向軸線に対する横断面に沿うパケット外周にバラツキを生じ、結果としてパケット包装の観点から様々な欠点をもたらす恐れがある。
【先行技術文献】
【特許文献】
【０００６】
（原文に記載なし）
【発明の概要】
【発明が解決しようとする課題】
【０００７】
本発明の目的は、上述した欠点を解消することができるタバコパケットを提供することであって、言い換えれば、従来パケットの外周に等しい外周を保ちながら、主要な伸長の軸線に対して平行な、特定な形状の相対的長手方向端縁を形成するパケットを提供することにある。
【課題を解決するための手段】
【０００８】
このため、本発明は、独立請求項１に記載の特徴を有するタバコパケットを提供する。
【０００９】
以下、その非限定的な実施形態を示す添付図面を参照しながら本発明を説明する。
【図面の簡単な説明】
【００１０】
【図１】閉鎖状態における、本発明によるパケットの第１実施形態の斜視図である。
【図２】開放状態における図１のパケットの斜視図である。
【図３】図２の細部の斜視図である。
【図４】閉鎖状態における、本発明によるパケットの第２実施形態の斜視図である。
【図５】閉鎖状態における、本発明によるパケットの第３実施形態の斜視図である。
【図６】図５のパケットの側方図である。
【図７】閉鎖状態における、本発明によるパケットの第４実施形態の斜視図である。
【図８】閉鎖状態における、本発明によるパケットの第５実施形態の斜視図である。
【図９】図１のパケットを作るために使用される第１フラットブランクの平面図である。
【図１０】図１のパケットを作るために使用される第２フラットブランクの平面図である。
【図１１】図４のパケットを作るために使用される第１フラットブランクの平面図である。
【図１２】図４のパケットを作るために使用される第２フラットブランクの平面図である。
【図１３】図５のパケットを作るために使用される第１フラットブランクの平面図である。
【図１４】図５のパケットを作るために使用される第２フラットブランクの平面図である。
【図１５】図７のパケットを作るために使用される第１フラットブランクの平面図である。
【図１６】図７のパケットを作るために使用される第２フラットブランクの平面図である。
【図１７】図８のパケットを作るために使用される第１フラットブランクの平面図である。
【図１８】図８のパケットを作るために使用される第２フラットブランクの平面図である。
【発明を実施するための形態】
【００１１】
参照番号１は、特に矩形断面を有し略平行六面体形状のパケット全体を示しており、それが延伸する主要長手方向軸線は“Ａ”で表わされている。
【００１２】
パケット１は、前壁２と後壁３と１組の側面４、５とを定める４つの側壁を有する。
【００１３】
より具体的には、前壁２と後壁３は、２つの小側壁である側面４、５に比べて大きな２つの側壁である。
【００１４】
また、パケット１は下壁６と上壁７を有する。
【００１５】
パケット１の各側面４、５は、接続端縁８、９、１０、１１によって前壁２と後壁３に結合されている。
【００１６】
より具体的には、参照番号８、９は前壁２を側面４、５に夫々接続する接続端縁を特定し、参照番号１０、１１は後壁３を側面４、５に夫々接続する接続端縁を特定している。
【００１７】
パケット１は、タバコ群１３を収納する容器１２と、ヒンジ線１５に沿って容器１２にヒンジ結合された蓋１４とを有する。
【００１８】
ヒンジ線１５は後壁３に位置し、ヒンジ線１５回りで蓋１４を回転させることによって、パケット１が閉鎖位置から開放位置へと通過したり、逆に開放位置から閉鎖位置へと通過するのを可能にしている。
【００１９】
カラー１６は、容器１２の内側であって少なくとも前壁２に固定される。
【００２０】
好ましくは、カラー１６は、容器１２の内側であって前壁２と側面４、５に固定される。
【００２１】
図１〜図８に示したパケット１の様々な実施形態は、これ以降、以下に掲げた参照番号を以て、以下引用されことになる共通の技術的特徴を備えていることに留意されたい。
【００２２】
より具体的には、パケット１は、接続端縁８、９、１０、１１の夫々に沿って少なくとも１つのコーナー壁１７を有し、そのコーナー壁は長手方向軸線Ａに平行な方向に沿って変化する横寸法を有する。
【００２３】
各コーナー壁１７はそれに関連する側端縁１８によって形成され、それらの側端縁は、夫々の接続端縁８、９、１０、１１に沿って設けられた少なくとも１つの第１共有頂点１９から分岐して延びると共に、同じ接続端縁８、９、１０、１１に沿って設けられた少なくとも１つの共有頂点２０へと収束するように延びる。
【００２４】
前壁２と両側面４、５に隣接するコーナー壁１７の側端縁１８は、少なくとも前壁２と２つの側面４，５の夫々の一部分に沿って延びる。
【００２５】
後壁３及び両側面４、５に隣接するコーナー壁１７の側端縁１８は、少なくとも後壁３と２つの側面４，５の夫々の一部分に沿って延びる。
【００２６】
このように、上記接続端縁８、９、１０、１１は、各外側壁３、４、５、６毎に、コーナー壁１７の側端縁１８に接した上記部分に少なくとも限定されると共に２つの隣接したコーナー壁１７の側端縁１８間にあって、長手方向軸線Ａに対し同じ高さ位置に、パケット１の端縁の外側に向かって延びる“ゆがみ”を形成する。
【００２７】
パケット１の外側を向くそのゆがみは、長手方向軸線Ａを横切るパケット１の各横断面の全周長さをほぼ一定に保持するように、各コーナー壁１７によって作られた“ゆがみ”を補う。
【００２８】
特に、図１〜図７に示されたパケット１の第１、第２、第３及び第４実施形態を参照するに、各コーナー壁１７は略三角形の第１及び第２パネル２１、２２を有し、各パネルは、各々の第１及び第２頂点１９、２０から始まり、第１折り線２４によって形成されてパケット１の各接続端縁８、９、１０、１１を横断する共有底辺２３に沿って結合するまで、共にパケット１の内側に向けて集結するようになっている。
【００２９】
好ましくは、第１及び第２パネル２１、２２は二等辺三角形であり、夫々同じ長さの辺２１ａ、２２ａと共有底辺２３を有している。
【００３０】
より具体的には、第１三角パネル２１の各辺２１ａは、共有底辺２３の両端に位置する夫々の第３頂点２５において、第２パネル２２に対応する三角形の辺２２ａと交わる。
【００３１】
尚、第１及び第２パネル２１、２２の辺２１ａ、２２ａは、各コーナー壁１７の側端縁１８を成していることに留意されたい。
【００３２】
この結果、各コーナー壁１７は第１頂点１９から第３頂点２５に向かって延び、更に第３頂点２５から第２頂点２０に向かって延びる。
【００３３】
各接続端縁８、９、１０、１１に沿って位置する各コーナー壁１７の第３頂点２５は、コーナー壁１７の側端縁１８に接触する前壁２、後壁３、２つの側面４、５の各部分上でパケット１の軸線Ａに対して横断方向に延びる折り目線２６によって互いに接合される。
【００３４】
パケット１の全横方向延伸のために、第１及び第２折り線２４、２６は第３頂点２５において共に結合される。
【００３５】
具体的には、第１及び第２折り線２４、２６は、各接続端縁８、９、１０、１１に沿って長手方向軸線Ａの同じ高さに位置するコーナー壁１７の第３頂点２５に結合する。
【００３６】
長手方向軸線Ａと第３頂点を横切る断面においてパケット１の外周を一定に保つように、各コーナー壁１７の第１折り線２４は夫々同じ長さを有する。
【００３７】
第２折り線２６は、各側壁２、３、４、５上にパケット１の端縁の外側を対して対面する尖端２７を構成する。
【００３８】
各尖端２７は、平坦かつ互いに対して傾斜した各第３及び第４パネル３３、３４から得られる。第３、第４パネル３３、３４を互いに対して傾斜することで得られ、かつ尖端２７を構成する外向きの“ゆがみ”は、第１折り線２４に共に集まり、かつ第１及び第２パネル２１、２２の内側に向かう傾斜によって補われる。
【００３９】
第３パネル３３と第４パネル３４は、各接続端縁８、９、１０、１１に沿って長手方向軸線Ａの同じ高さに位置するコーナー壁１７の第１及び第２パネル２１、２２の間に夫々配置される。
【００４０】
各コーナー壁１７が夫々、第１及び第２の三角形パネル２１、２２を有する代わりとしては、パケット１の各コーナー壁１７は、図８に示すようにその側端縁１８が曲線円弧状に形成された、パケット１の内側に向かって凹んだレンズ状パネル２８を有する。
【００４１】
この実施形態では、コーナー壁１７の曲線円弧状側端縁１８に接する前壁２、後壁、２側壁４、５の各部分はパケット１の外側に向かって凸状となる。
【００４２】
パケット１を閉鎖した状態に保ち、タバコ群１３の品質や香りを維持するために、カラー１６は、各々が各接続端縁８、９に沿って蓋１４に位置する各コーナー壁１７と係合するように設計された、少なくとも２つのコーナー壁１７を有する。
【００４３】
具体的には、蓋１４に位置するコーナー壁１７の内面はカラー１６のコーナー壁１７の外面と結合してパケット１の自然開口を防止する。
【００４４】
実際には、蓋１４に位置する各コーナー壁１７は、カラー１６のコーナー壁１７の外面に対して相対的に凸状の内面を備え、コーナー壁の外面は、これらの面同士が相互に結合できるようにパケット１の内側に向かって対面している。
【００４５】
ヒンジ線１５回りで蓋１４が回転する際、蓋１４とカラー１６のコーナー壁１７同士が容易に結合できるように、好ましくは、カラー１６のコーナー壁１７は面取りがなされ、即ち第１及び第２頂点１９、２０のどちらかが無い状態となる。
【００４６】
図１〜図３はパケット１の第１実施形態を示している。
【００４７】
パケット１は、各接続端縁８、９、１０、１１に沿って、蓋１４の位置にコーナー壁１７と、容器１２の位置に一連のコーナー壁１７とを有する。
【００４８】
より具体的には、上壁７の各端縁７ａが各コーナー壁１７の側端縁１８の第１頂点１９を成す。
【００４９】
更に、蓋体１４は下方端縁２９を有し、その端部３０は、前壁２と２つの側面４、５に隣接するコーナー壁１７の各側端縁１８の第２頂点２０を構成する。
【００５０】
後壁３と２つの側面４、５に隣接するコーナー壁１７を参照するに、各側端縁１８の第２頂点２０は後壁３の接続端縁１０、１１に沿って配置される。
【００５１】
好ましくは、蓋１４にあるコーナー壁１７の第１及び第２折り線２４、２６は、蓋１４のヒンジ線１５と同じ高さに位置している。
【００５２】
図３に示すように、後壁３を各側面４、５に接続するコーナー壁１７の第１折り線２４は、ヒンジ線１５回りで蓋１４を回転することでパケット１の開閉が可能となるように、切断される。
【００５３】
容器１２における各接続端縁８、９、１０、１１の場合、各コーナー壁１７は、第１及び第２頂点１９、２０の間に、連続するコーナー壁１７と共有した関係の、少なくとも１つの頂点３１を備える。
【００５４】
容器１２において、後壁３と側面４、５に隣接する１組のコーナー壁１７は、蓋１４に位置するコーナー壁１７と共有する頂点３１を有している。
【００５５】
容器１２において、前壁２と側面４、５に隣接する１組のコーナー壁１７の第１頂点１９は、パケット１の閉鎖状態で蓋１４の下方端縁２９に接触する容器１２の上方端縁３５の両端に位置する。
【００５６】
また、側面４、５において、蓋１４は、下方端縁２９の端部３０から延びる２つの下方側端縁２９ａを有している。
【００５７】
容器１２は、上方端縁３５の端部から延びる２つの上方側端縁３５ａを有している。
【００５８】
側端縁２９ａ、３５ａは、対応するサイドパネル３４を、夫々蓋１４と容器１２に属する２つの部分３４ａ、３４ｂに再分割する。
【００５９】
パケット１が閉鎖状態にある時、夫々の下方側端縁２９ａは夫々の上方側端縁３５ａと接触する。
【００６０】
側端縁２９ａ、３５ａは、それらの一端で、後壁３と側面４、５に隣接するコーナー壁１７の第３頂点２５を共有する。
【００６１】
留意すべきは、下壁６の各端縁６ａは、容器１２にあって下壁６に隣接するコーナー壁１７の第２頂点２０を形成しているということである。
【００６２】
２つの連続したコーナー壁１７によって共有される頂点３１は、パケット１の軸線Ａに対して横方向に延びる第３折り線３２に結合される。
【００６３】
より具体的には、第３折り線３２は、各接続端縁８、９、１０、１１上にあって長手方向軸線Ａの方向で同じ高さに位置する共有頂点３１同士を共に接続し、側壁２、３、４、５に沿ってパケット１を横方向から取り囲んでいる。
【００６４】
夫々の側壁２、３、４、５に関して言えば、第２及び第３折り線２６、３２は、長手方向軸線Ａを横切る方向において互いに平行である。
【００６５】
このように、第２及び第３折り線２６、３２は、各尖端２７において互いに傾斜した第３及び第４パネル３３、３４を形成する。
【００６６】
好ましくは、第１実施形態よるパケット１は、各接続端縁８、９、１０、１１に付き４つ、計１６のコーナー壁１７を有している。より具体的には、４つのコーナー壁１７が蓋１４に位置し、１２のコーナー壁１７が容器１２に位置している。
【００６７】
従って、パケット１の各側壁２、３、４、５は、互いに対しある角度を以て傾斜した各第３及び第４パネル３３、３４によって形成された４つの尖端２７を有する。より具体的には、蓋１４に１つの尖端２７、容器１２に３つの尖端２７がある。
【００６８】
この実施形態では、各コーナー壁１７の第１折り線２４は、長手方向軸線Ａと平行な方向において、夫々の第１及び第２頂点１９、２０の間の距離の中心線に作られる。
【００６９】
図４はパケット１の第２実施形態を示している。
【００７０】
この実施形態は、各接続端縁８、９、１０、１１に沿って配置されるコーナー壁１７が蓋１４にだけ作られているという点で第１の実施形態と異なる。
【００７１】
実際、容器１２の各接続端縁８、９、１０、１１は、上述したコーナー壁１７を持たず、鋭いエッジを伴って形成されている（或いは、エッジを丸めたり、面取りを施すことも可能である）。
【００７２】
コーナー壁１７の技術的な特徴に関しては、第１実施形態における上記説明を参照されたい。
【００７３】
換言すれば、第２実施形態によるパケット１は、蓋１４において各接続端縁８、９、１０、１１に付き１つ、計４つのコーナー壁１７を有している。
【００７４】
従って、パケット１の各側壁２、３、４、５は、互いに対しある角度を以て傾斜した、夫々の第３及び第４パネル３３、３４によって形成された４つの尖端２７を有する。
【００７５】
この実施形態では、各コーナー壁１７の第１折り線２４は、長手方向軸線Ａと平行な方向において、夫々の第１及び第２頂点１９、２０の間の距離の中心線に作られる。更に、第１及び第２の折り線２４、２６はヒンジ線１５と同じ高さとなる。
【００７６】
図５はパケット１の第３実施形態を示している。
【００７７】
本実施形態は、パケット１の第１及び第２実施形態のように、蓋１４において各接続端縁８、９、１０、１１に沿ってコーナー壁１７が設けられるが、それに関しては先の説明を参照されたい。
【００７８】
上述した実施形態と異なり、このパケット１は、各接続端縁８、９、１０、１１に沿って容器１２に単一のコーナー壁１７を有する。
【００７９】
容器１２にあって、後壁３と側面４、５に隣接するコーナー壁１７の第１頂点１９に関して言えば、それらは蓋１４のコーナー壁１７と共有関係にある頂点３１である。
【００８０】
容器１２にあって前壁２と側面４、５に隣接するコーナー壁１７の第１頂点１９に関して言えば、それらは容器１２の上方端縁３５の各端部に位置している。
【００８１】
下壁６の各端縁６ａはコーナー壁１７の第２頂点２０を形成する。
【００８２】
換言すれば、第３実施形態によるパケット１は、各接続端縁８、９、１０、１１に付き２つ、計８つのコーナー壁１７を有する。より具体的には、４つのコーナー壁１７が蓋１４に配置され、４つのコーナー壁１７が容器１２に配置される。
【００８３】
従って、パケット１の各側壁２、３、４、５は、図６に示すように、互いに対してある角度を以て傾斜し、夫々第３及び第４パネル３３、３４によって形成される２つの尖端２７を有する。
【００８４】
この実施形態では、先のそれらと同様に、各コーナー壁１７の第１折り線２４は、長手方向軸線Ａと平行な方向において、第１及び第２頂点１９、２０の間の距離の中心線に作られる。
【００８５】
図７はパケット１の第４の実施形態を示している。
【００８６】
第４実施形態は第３実施形態と同様であり、唯一異なる点は、容器１２側にあるコーナー壁１７の第１折り線２４の位置だけである。
【００８７】
実際、第１折り線２４は、軸線Ａに平行な方向に沿った形で、下壁６から第１頂点１９と第２頂点２０の間の距離の１／３〜１／５に等しい距離をおいて配置される。
【００８８】
最後に、図８はパケット１の第５実施形態を示しており、ここではパケットは、各コーナー壁１７に付き、パケット１の内側に向かって凹んだレンズ状パネル２８を有する。
【００８９】
より具体的には、第５実施形態によるパケット１は、各接続端縁８、９、１０、１１に付き２つ、計８つのコーナー壁１７を有する。より具体的には、４つのコーナー壁１７が蓋１４に配置され、４つのコーナー壁１７が容器１２に配置される。
【００９０】
従って、パケット１の各側壁２、３、４、５は、夫々が２つのコーナー壁１７の間に位置する２つの凸状部分を有している。
【００９１】
図９〜図１８は、説明した各実施形態のパケット１を作ることができるフラットブランクを示している。
【００９２】
具体的に言えば、図９、１１、１３、１５及び図１７は、様々な実施形態によるパケット１を得るため、それを折り畳むことでヒンジ蓋１４付き容器１２を提供する第１フラットブランク３６を示しており、図１０、１２、１４、１６及び図１８は、それを折り畳むことで夫々の第１フラットブランクに関連して設計されたカラー１６を提供する第２フラットブランク４８を示している。
【００９３】
図９、１１、１３、１５及び図１７を参照するに、第１フラットブランク３６は伸長の主要長手方向軸線Ｂを有する。
【００９４】
第１ブランク３６は、長手方向軸線Ｂに沿って上から下に連続して、上部パネル３７、主要パネル３８、下部パネル３９及び第２パネル４０を有する。
【００９５】
上部パネル３７は複数のパネルとサイドフラップを有し、それらは折り畳まれた状態で蓋１４を形成する。
【００９６】
より具体的に言えば、上部パネル３７は、上壁７を形成するように設計された中央パネル４６を有し、この部分からは複数の折り線４７が分岐し、それらが一旦折り畳まれたならばコーナー壁１７を形成する。
【００９７】
折り線４７は、中央パネル４６の各端縁４６ａから、長手方向軸線Ｂに対して１０°〜３０°の角度で傾斜した方向に延びる。
【００９８】
図９、１１及び図１３を参照するに、折り線４７は、その頂点が第１、第２及び第３折り線２４、２６、３２で接続された略菱形のパターンを有する。折り線２４、２６、３２は長手方向軸線Ｂに直交する方向において互いに平行である。
【００９９】
これらの実施形態において、折り線４７と第１、第２及び第３折り線２４、２６、３２は、第１ブランク３６上において第１、第２、第３及び第４パネル２１、２２、３３、３４の境界を画定する。
【０１００】
図１７を参照するに、折り線４７は略レンズ状のパターンを有する。
【０１０１】
上部パネル３７は、ヒンジ線１５３８弱４４の第１行でボトムパネル３９に接続されている。
【０１０２】
主要メインパネル３８に第１弱め線４４によって下部パネル３９に接続されている。
【０１０３】
下部パネル３９は第２弱め線４５によって第２パネル４０に接続されている。
【０１０４】
長手方向軸線Ｂを横断する方向に沿って、ヒンジ線１５と第１及び第２弱め線４４、４５とは互いに平行である。
【０１０５】
長手方向軸線Ｂを横断する方向に沿って、主要パネル３８と第２パネル４０から延びるのが２組のサイドパネル４１である。各組のサイドパネル４１は長手方向軸線Ｂの両側に配置される。
【０１０６】
従来技術によれば、夫々のフラップ４２は、長手方向軸線Ｂに平行な方向に沿って主要パネル３８と並んだ形で、２つのサイドパネル４１から延びる。
【０１０７】
より具体的には、フラップ４２は、長手方向軸線Ｂに対して横断する伸長の方向を有する弱め線４３によって各サイドパネル４１に接続されている。
【０１０８】
パケット１の側面４、５は、弱め線４３に沿ってサイドパネル４１とフラップ４２を９０°折り曲げることによって得られる。
【０１０９】
パケット１の後壁３と前壁２は、夫々、主要パネル３８と第２パネル４０を第１及び第２弱め線４４、４５に沿って折り曲げることにより得られる。
【０１１０】
特に図９のブランク３６を参照するに、同ブランクは、主要パネル３８を各サイドパネル４１に、第２パネル４０を夫々のサイドパネル４１に接続する菱形パターンを伴った一連の折り線４７を有する。
【０１１１】
連続する折り線４７は、ブランク３６を折り曲げた後に、パケット１の各接続端縁８、９、１０、１１を成すように設計されている。
【０１１２】
連続する折り線４７から成る菱形の頂点は、第１ブランク３６上で第１、第２、第３及び第４パネル２１、２２、３３、３４の境界を画定する第１、第２及び第３折り線２４、２６、３２によって共に接続されている。
【０１１３】
特に図１３及び図１５のブランク３６を参照するに、折り線４７は、主要パネル３８と第２パネル４０を夫々のサイドパネル４１に接続する単一の菱形を形成する。
【０１１４】
菱形の各頂点は、第１、第２、第３及び第４パネル２１、２２、３３、３４の境界を画定する第１、第２及び第３折り線２４、２６、３２によって共に接続される。
【０１１５】
図１７に示すように、主要パネル３８と第２パネル４０を夫々のサイドパネル４１に接続する折り線４７は曲線形状を有している。
【０１１６】
図１１に示すように、フラットブランク３６は、主要パネル３８を夫々のサイドパネル４１に、第２パネル４０を夫々のサイドパネル４１に接続する、連続した折り線４７を持たない。この実施形態では、主要パネル３８と第２パネル４０は、第３弱め線４９によって夫々のサイドパネル４１に接続されている。
【０１１７】
特に図１０、１２、１４、１６及び図１８を参照するに、第２フラットブランク４８は、ブランク４８を折り曲げた後に、カラー１６のコーナー壁１７を形成するように設計された折り線４７を有する。
【０１１８】
図１０、１２、１４及び図１６に示したブランク４８を参照するに、これらのブランクは、その頂点が第１、第２及び第３折り線２４、２６、３２によって接続された菱形パターン付き折り線４７を有する。
【０１１９】
尚、第２ブランク４８の折り線４７の菱形パターンは、夫々の第１ブランク３６上に再現されたパターンに類似していることに留意されたい。
【０１２０】
しかしながら、これに関して図１８に示す第２ブランク４８は、夫々の第１ブランク３６上に再現されたパターンと同様の曲線パターンを持った折り線４７を有している。また、結果として図１８の第２ブランク４８は第３折り線３２を有するだけである。
【０１２１】
最後に、第２ブランク４８は、容器１２の全側壁２、３、４、５と少なくとも部分的に対面するように長手方向軸線Ｂに対して横方向の伸長部を持つことができ、タバコ群１３をより堅固にラッピングすることに留意されたい。
【０１２２】
本発明によるパケット１は主様な利点を有する。
【０１２３】
実際、たとえ接続端縁８、９、１０、１１が夫々のコーナー壁１７を有するにしても、長手方向軸線Ａを横断する任意の平面に沿うパケット１の断面は一定の外周を有する。この結果として、第３頂点２５を通る断面は、第１及び第２頂点１９、２０を通る矩形断面に等しい外周を有する直角断面である。
【０１２４】
最後に、添付図面に示されるように、ヒンジ蓋１４付き硬質タバコパケット１に関して先になされた考察は又、例えば長手方向軸線Ａに平行な後壁３に配置されたヒンジ線１５、及び／又は側面４、５に位置するヒンジ線１５、及び／又は上壁７に位置するヒンジ線１５を備えた従来からのタバコ製品用パケットにも適用し、更にヒンジ蓋を持たない従来からの硬質パケットにも適用することに留意されたい。
【図１】
0006301925.tif 000002
【図２】
0006301925.tif 000003
【図３】
0006301925.tif 000004
【図４】
0006301925.tif 000005
【図５】
0006301925.tif 000006
【図６】
0006301925.tif 000007
【図７】
0006301925.tif 000008
【図８】
0006301925.tif 000009
【図９】
0006301925.tif 000010
【図１０】
0006301925.tif 000011
【図１１】
0006301925.tif 000012
【図１２】
0006301925.tif 000013
【図１３】
0006301925.tif 000014
【図１４】
0006301925.tif 000015
【図１５】
0006301925.tif 000016
【図１６】
0006301925.tif 000017
【図１７】
0006301925.tif 000018
【図１８】
0006301925.tif 000019